(57)【要約】【課題】コンテンツの返却手続きが不要で、又、貸出し期間後のコンテンツの閲覧を防止したコンテンツの貸出し管理システムを提供する。【解決手段】暗号化されたコンテンツと該コンテンツの有効期限とを格納した記録媒体２１を貸し出す貸出し店舗２０と、制御部２と電波時計４と暗号鍵を格納する記憶部６とを有するプレイヤ１０とを備え、制御部２は、電波時計の時刻が記録媒体から読取った有効期限内であると判断した場合に、暗号鍵でコンテンツを復号して再生する。【選択図】　　図１
2004127164.tif 000002
【特許請求の範囲】
【請求項１】
暗号化されたコンテンツと該コンテンツの有効期限とを格納した記録媒体を貸し出す貸出し店舗と、
制御部と基準時計と暗号鍵を格納する記憶部とを有する再生機と
を備えたコンテンツの貸出し管理システムであって、
前記制御部は、前記基準時計の時刻が前記記録媒体から読取った有効期限内であると判断した場合に、前記暗号鍵で前記コンテンツを復号して再生することを特徴とするコンテンツの貸出し管理システム。
【請求項２】
暗号化されたコンテンツと該コンテンツの有効期限とを格納した記録媒体を貸し出す貸出し店舗と、
処理プログラムを格納した携帯端末の記憶手段と、
制御部と入力手段と暗号鍵を格納する記憶部とを有する再生機と
を備えたコンテンツの貸出し管理システムであって、
前記処理プログラムは、前記携帯端末に内蔵された計時手段の時刻を入力値とする所定の関数により数字列を生成するものであり、
前記制御部は、前記入力手段を介して入力された前記数字列から前記関数の逆関数により前記時刻を取り出し、該時刻が前記記録媒体から読取った有効期限内であると判断した場合に、前記暗号鍵で前記コンテンツを復号して再生することを特徴とするコンテンツの貸出し管理システム。
【請求項３】
暗号鍵を生成する暗号鍵生成部を有し、該暗号鍵により暗号化されたコンテンツと該コンテンツの有効期限とを格納した記録媒体を貸し出す貸出し店舗と、
処理プログラムを格納した携帯端末の記憶手段と、
制御部と入力手段とを有する再生機と
を備えたコンテンツの貸出し管理システムであって、
前記暗号鍵生成部は、前記携帯端末の端末固有情報を少なくとも入力値とする所定の関数により前記暗号鍵を生成し、
前記処理プログラムは、前記端末固有情報を少なくとも入力値とする前記所定の関数により前記暗号鍵を生成し、該暗号鍵と前記携帯端末に内蔵された計時手段の時刻を入力値とする別の関数により数字列を生成するものであり、
前記制御部は、前記数字列が前記入力手段を介して入力されると前記別の関数の逆関数により前記時刻及び前記暗号鍵を取り出し、該時刻が前記記録媒体から読取った有効期限内であると判断した場合に、前記暗号鍵で前記コンテンツを復号して再生することを特徴とするコンテンツの貸出し管理システム。
【請求項４】
前記貸出し店舗がネットワークに接続された電子店舗であることを特徴とする請求項１乃至３のいずれかに記載のコンテンツの貸出し管理システム。
【発明の詳細な説明】
【０００１】
【発明の属する技術分野】
本発明は、レンタルビデオショップ等におけるコンテンツの貸出し管理システムに関する。
【０００２】
【従来の技術】
通常、レンタルビデオショップでビデオソフトを借りる場合、ユーザはソフトの閲覧後にショップに出向いてソフトを返却する手間を要する。このようなことから、ネットワークを介したユーザ端末とレンタルサーバとの間でソフト（データ）を送受信する技術が開示されている（例えば、特許文献１参照）。この技術においては、ソフトの閲覧後、ユーザ端末からレンタルサーバへ返却アップロードを実行することで、ソフトの返却がされたものとしている。又、返却処理後、ユーザ端末側でソフトの削除処理を行うことも可能である。
【０００３】
【特許文献１】
特開２００２−４２２３４号公報（図１４、請求項２１）
【０００４】
【発明が解決しようとする課題】
しかしながら、上記した技術の場合、ユーザは店舗に出向く必要はないものの、依然として返却のための手続きを端末上でしなければならないという問題がある。又、ユーザ端末のソフトの削除を行わないように端末を設定すれば、返却処理後もソフトの再閲覧が可能である。
【０００５】
本発明は、上記した問題点に鑑みてなされたもので、コンテンツの返却手続きが不要で、又、貸出し期間後のコンテンツの閲覧を防止したコンテンツの貸出し管理システムを提供することを目的とする。
【０００６】
【課題を解決するための手段】
上記した目的を達成するために、請求項１記載のコンテンツの貸出し管理システムは、暗号化されたコンテンツと該コンテンツの有効期限とを格納した記録媒体を貸し出す貸出し店舗と、制御部と基準時計と前記暗号鍵を格納する記憶部とを有する再生機とを備え、前記制御部は、前記基準時計の時刻が前記記録媒体から読取った有効期限内であると判断した場合に、前記暗号鍵で前記コンテンツを復号して再生することを特徴とする。
このようにすると、外部から改竄不能な基準時計とコンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。
【０００７】
請求項２記載のコンテンツの貸出し管理システムは、暗号化されたコンテンツと該コンテンツの有効期限とを格納した記録媒体を貸し出す貸出し店舗と、処理プログラムを格納した携帯端末の記憶手段と、制御部と入力手段と前記暗号鍵を格納する記憶部とを有する再生機とを備え、前記処理プログラムは、前記携帯端末に内蔵された計時手段の時刻を入力値とする所定の関数により数字列を生成するものであり、前記制御部は、前記入力手段を介して入力された前記数字列から前記関数の逆関数により前記時刻を取り出し、該時刻が前記記録媒体から読取った有効期限内であると判断した場合に、前記暗号鍵で前記コンテンツを復号して再生することを特徴とする。
このようにすると、外部から改竄不能な携帯端末の計時手段の時刻とコンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。又、現在時刻を携帯端末に内蔵された計時手段から取得するようにしたので、再生機に基準時計を内蔵する必要がない。さらに、現在時刻を所定の関数で数字列に置き換えるので、ユーザが関数を知らない限り、時刻を遅らせるために数字列を改竄することも不可能である。
【０００８】
請求項３記載のコンテンツの貸出し管理システムは、暗号鍵を生成する暗号鍵生成部を有し、該暗号鍵により暗号化されたコンテンツと該コンテンツの有効期限とを格納した記録媒体を貸し出す貸出し店舗と、処理プログラムを格納した携帯端末の記憶手段と、制御部と入力手段とを有する再生機とを備え、前記暗号鍵生成部は、前記携帯端末の端末固有情報を少なくとも入力値とする所定の関数により前記暗号鍵を生成し、前記処理プログラムは、前記端末固有情報を少なくとも入力値とする前記所定の関数により前記暗号鍵を生成し、該暗号鍵と前記携帯端末に内蔵された計時手段の時刻を入力値とする別の関数により数字列を生成するものであり、前記制御部は、前記数字列が前記入力手段を介して入力されると前記別の関数の逆関数により前記時刻及び前記暗号鍵を取り出し、該時刻が前記記録媒体から読取った有効期限内であると判断した場合に、前記暗号鍵で前記コンテンツを復号して再生することを特徴とする。
このようにすると、外部から改竄不能な携帯端末の計時手段の時刻とコンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。又、現在時刻を携帯端末に内蔵された計時手段から取得するようにしたので、再生機に基準時計を内蔵する必要がない。さらに、現在時刻を所定の関数で数字列に置き換えるので、ユーザが関数を知らない限り、時刻を遅らせるために数字列を改竄することも不可能である。
これらに加え、コンテンツの暗号鍵を貸出し店舗が端末固有情報をもとに動的に生成してユーザの携帯端末に格納し、ユーザは携帯端末を操作して数字列を生成させ、再生機に入力する。そして、この数字列に暗号鍵が含まれているので、再生機側に予め暗号鍵を準備しておく必要がない。
【０００９】
請求項４記載のコンテンツの貸出し管理システムは、前記貸出し店舗がネットワークに接続された電子店舗であることを特徴とする。
【００１０】
【発明の実施の形態】
以下、本発明のコンテンツの貸出し管理システムの実施の形態について各図を参照して説明する。図１は、本発明の第１実施形態にかかるコンテンツの貸出し管理システムの構成を示す。
【００１１】
この図において、コンテンツの貸出し管理システムは、再生機（プレイヤ）１０と貸出し店舗２０とを備える。貸出し店舗２０は、ユーザが貸出し要求したコンテンツを所定の暗号鍵で暗号化し、そのコンテンツの有効期限（貸出し期限）及び暗号化に用いた暗号鍵の情報とともに記録媒体（例えばＣＤ−Ｒ等）に格納し、貸出し手続きを行う。
【００１２】
プレイヤ１０は、図示しない記録媒体の挿入口及び読取り部と、ＣＰＵ等の制御部２と、ユーザの外部からの時間改竄を禁止し自律的に正確な時間調整が可能な基準時計（例えば電波時計）４と、貸出し店舗２０との間で取り決めた複数の暗号鍵群を格納する記憶部６とを有する。プレイヤ１０は、記憶媒体から読取ったコンテンツを再生するビデオプレイヤ、音楽プレイヤ等である。暗号鍵は、例えば乱数であり、暗号鍵と復号鍵が同一である。
【００１３】
次に、コンテンツの再生方法について説明する。まず、ユーザは、貸出し店舗２０でコンテンツを格納した記録媒体２１の貸出しを受け、自宅のプレイヤ１０に記録媒体２１を挿入する。
【００１４】
プレイヤ１０の制御部２は、読取り部を介して記録媒体２１の有効期限を読取るとともに、電波時計４から現在時刻を取得する。ここで、「有効期限」とは、コンテンツの再生が許可された期限を示し、貸出し期間に相当する。次に、制御部２は、現在時刻が有効期限内であるか否かを判断し、有効期限内である場合は再生処理を行う。つまり、制御部２は、記録媒体２１の暗号鍵情報を読取り、記憶部６から該当する暗号鍵を取得し、その暗号鍵でコンテンツを復号することにより再生を行う。一方、現在時刻が有効期限外の場合、制御部２は再生処理を行わない。
【００１５】
このように、外部から改竄不能な基準時計とコンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。
【００１６】
次に、本発明の第２実施形態にかかるコンテンツの貸出し管理システムの構成について図２を参照して説明する。
この図において、コンテンツの貸出し管理システムは、再生機（プレイヤ）１０Ａ、貸出し店舗２０、ユーザの携帯端末（携帯電話）の記憶手段３３とから構成される。貸出し店舗２０の構成は上記第１実施形態の場合と同一であるので説明を省略する。
【００１７】
プレイヤ１０Ａは、前記プレイヤ１０と同様、図示しない記録媒体の挿入口及び読取り部と、ＣＰＵ等の制御部２と、入力手段３と、処理プログラム記憶部５と、記憶部６とを有する。制御部２及び記憶部６の構成は前記プレイヤ１０の場合と同一であるので説明を省略する。プレイヤ１０Ａは、基準時計を有さず、代わりに記憶部５に格納された処理プログラムにより、後述する方法で現在時刻を取得する点が前記プレイヤ１０と異なる。
【００１８】
携帯電話３０は、液晶画面等の表示手段３１、ＣＰＵ等の制御手段３２、記憶手段３３、計時手段（内部クロック）３４を備える。記憶手段３３は所定の処理プログラムを格納する。又、内部クロック３４は、ユーザの外部からの時間改竄が禁止されている。
【００１９】
次に、コンテンツの再生方法について説明する。まず、貸出し店舗２０でコンテンツを格納した記録媒体２１の貸出しを受けたユーザは、プレイヤ１０Ａに記録媒体２１を挿入する。
【００２０】
プレイヤ１０Ａの制御部２は、読取り部を介して記録媒体２１の有効期限を読取るとともに、例えば図示しない表示画面によりワンタイムパットの入力をユーザに促す。このワンタイムパットは、携帯電話内の内部クロック３４が示す現在時刻をユーザが認識不能の数字列に置き換えたものであり、この数字列をプレイヤ１０Ａに入力することにより、第１実施形態における基準時計の代わりとして機能するものである。
【００２１】
ユーザは、携帯電話３０を適宜操作して、ワンタイムパットを生成させる。これにより、携帯電話３０の制御手段３２は、記憶手段３３の処理プログラムを起動してワンタイムパット生成処理を行う。この処理は、図３のフローに示すように、内部クロック３４から取得した現在時刻（日付情報）に所定の関数（乱数表）Ｆ０を乗じてワンタイムパット（数字列）に置き換えるものである（図３（ａ））。制御手段３２は、生成されたワンタイムパットを表示手段３１に表示し、ユーザはその値を入力手段３を介してプレイヤ１０Ａに入力する。
【００２２】
一方、プレイヤ１０Ａの制御部２は、上記ワンタイムパットが入力されると、記憶部５の処理プログラムを起動してワンタイムパット解読処理を行う。この処理は、図３のフローに示すように、ワンタイムパットに関数−Ｆ０（上記Ｆ０の逆関数）を乗じてもとの日付情報を取り出すものである（図３（ｂ））。
【００２３】
次に、制御部２は、取り出した日付情報と、記録媒体２１から読取った有効期限とから日付情報（現在時刻）が有効期限内であるか否かを判断し、有効期限内である場合は再生処理を行う。つまり、制御部２は、記録媒体２１の暗号鍵情報を読取り、記憶部６から該当する暗号鍵を取得し、その暗号鍵でコンテンツを復号することにより再生を行う。一方、現在時刻が有効期限外の場合、制御部２は再生処理を行わない。
【００２４】
このように、外部から改竄不能な携帯電話の内部クロックとコンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。又、現在時刻を携帯電話の内部クロックから取得するようにしたので、プレイヤに基準時計を内蔵する必要がない。さらに、現在時刻を所定の関数でワンタイムパット（数字列）に置き換えるので、ユーザが関数を知らない限り、時刻を遅らせるために数字列を改竄することも不可能である。
【００２５】
次に、本発明の第３実施形態にかかるコンテンツの貸出し管理システムの構成について図４を参照して説明する。
この図において、コンテンツの貸出し管理システムは、再生機（プレイヤ）１０Ｂ、貸出し店舗２０Ａ、ユーザの携帯端末（携帯電話）の記憶手段３３Ａとから構成される。この実施形態では、コンテンツを暗号化する暗号鍵を貸出し店舗２０Ａが動的に生成してユーザの携帯電話に格納し、ユーザは携帯電話を操作してワンタイムパットを生成させる。そして、このワンタイムパットに暗号鍵が含まれているので、プレイヤ側に予め暗号鍵を準備しておく必要がないという特徴がある。
【００２６】
貸出し店舗２０Ａは後述するコンピュータ（暗号鍵生成部）２２を有し、ユーザが貸出し要求したコンテンツをこの暗号鍵で暗号化し、そのコンテンツの有効期限（貸出し期限）、コンテンツＩＤ（コンテンツ毎に割当てられた番号）とともに記録媒体２１Ａに格納し、貸出し手続きを行う。
【００２７】
プレイヤ１０Ｂは、前記プレイヤ１０Ａと同様、図示しない記録媒体の挿入口及び読取り部と、ＣＰＵ等の制御部２と、入力手段３と、処理プログラム記憶部５Ｂと、サービスキーを記憶する記憶部７とを有する。サービスキーは、プレイヤの種類毎に決められた固有情報である。プレイヤ１０Ｂは、暗号鍵を記憶していない点が前記プレイヤ１０Ａと異なる。
【００２８】
携帯電話３０Ａは、液晶画面等の表示手段３１、ＣＰＵ等の制御手段３２、記憶手段３３Ａ、計時手段（内部クロック）３４、端末ＩＤ格納部３５、ライセンスＩＤ及びコンテンツＩＤを格納する秘密格納領域３６を備える。記憶手段３３Ａは所定の処理プログラムを格納する。又、内部クロック３４は、ユーザの外部からの時間改竄が禁止されている。
【００２９】
次に、暗号鍵の生成方法について説明する。まず、ユーザは、貸出し手続きの際、貸出し店舗２０Ａのコンピュータ２２に携帯電話３０Ａを接続し、端末ＩＤ格納部３５の端末ＩＤ（端末固有情報）を送信する。コンピュータ（暗号鍵生成部）２２は、暗号鍵生成処理を行う。この処理は、図５（ａ）のフローに示すように、携帯電話３０Ａから取得した端末ＩＤと、貸出し時に発行されるライセンスＩＤと、後述するアプリケーションキーとを入力値として第１の関数（乱数表）Ｆ１により数字列を得、この数字列とサービスキーを入力値として第２の関数（乱数表）Ｆ２により暗号鍵を生成するものである。なお、この数字列は暗号鍵の情報を含んだものであるので、以下、「鍵情報」と称する。
【００３０】
ここで、ライセンスＩＤは、各貸出し毎に一意に割当てられた認証情報であり、アプリケーションキーは、携帯電話３０Ａで実行されるワンタイムパット生成のための処理プログラム（アプリケーション）中に秘匿された情報であり、処理プログラムとともにコンピュータ２２から携帯電話３０Ａへダウンロードされる。又、サービスキーは、ユーザが貸出し要求したコンテンツの種類に対応したものであり、コンピュータ２２が自動的に入力するようになっている。例えば、コンテンツがビデオソフトであれば、対応するプレイヤはビデオプレイヤであるので、サービスキーもそれに応じたものとなる。
【００３１】
次に、コンピュータ２２は、上記ライセンスＩＤ、コンテンツＩＤ、及び上記処理プログラム（アプリケーション）を携帯電話３０Ａに送信し、携帯電話３０Ａの制御手段３２は各ＩＤを秘密格納領域３６へ格納し、処理プログラムを記憶手段３３Ａへ格納する。そして、ユーザは携帯電話３０Ａと記録媒体２１Ａを持って帰り、自宅のプレイヤ１０Ｂで再生する。
【００３２】
次に、コンテンツの再生方法について説明する。まず、ユーザは、プレイヤ１０Ｂに記録媒体２１Ａを挿入する。
プレイヤ１０Ｂの制御部２は、読取り部を介して記録媒体２１の有効期限及びコンテンツＩＤを読取るとともに、例えば図示しない表示画面によりワンタイムパットの入力をユーザに促す。このワンタイムパットは、携帯電話内の内部クロック３４が示す現在時刻及び暗号鍵をユーザが認識及び改竄不能の数字列に置き換えたものであり、この数字列をプレイヤ１０Ｂに入力することにより、第１実施形態における基準時計及び暗号鍵の代わりとして機能するものである。
【００３３】
ユーザは、携帯電話３０Ａを適宜操作して、ワンタイムパットを生成させる。これにより、携帯電話３０Ａの制御手段３２は、記憶手段３３Ａの処理プログラムを起動してワンタイムパット生成処理を行う。この処理は、図５（ｂ）のフローに示すように、まず、秘密格納領域３６からライセンスＩＤを取得し、端末ＩＤ格納部３５から端末ＩＤを取得し、又、処理プログラム中のアプリケーションキーを取得する。そして、これらを入力値として第１の関数（乱数表）Ｆ１により鍵情報を得る。次に、内部クロック３４から取得した現在時刻（日付情報）と上記鍵情報を入力値として第３の関数（乱数表）Ｆ３によりワンタイムパット（数字列）を得る。制御手段３２は、生成されたワンタイムパット（数字列）を表示手段３１に表示し、ユーザはその値を入力手段３を介してプレイヤ１０Ａに入力する。なお、この実施形態では、日付情報と鍵情報に加え、秘密格納領域３６から取得したコンテンツＩＤと所定の乱数とを入力値として関数Ｆ３を乗じている。
【００３４】
一方、プレイヤ１０Ａの制御部２は、上記ワンタイムパットが入力されると、記憶部５Ｂの処理プログラムを起動してワンタイムパット解読処理を行う。この処理は、図５（ｃ）のフローに示すように、ワンタイムパットとコンテンツＩＤに関数−Ｆ３（上記Ｆ３の逆関数）を乗じてもとの日付情報（現在時刻）と鍵情報とを取り出す。
【００３５】
次に、制御部２は、取り出した日付情報と、記録媒体２１から読取った有効期限とから日付情報（現在時刻）が有効期限内であるか否かを判断し、有効期限内である場合は再生のための暗号鍵（復号化鍵）を生成する。つまり、図５（ｃ）のフローにおいて、制御部２は、得られた鍵情報と、記憶部７から取得したサービスキーとを入力値として第２の関数Ｆ２により暗号鍵を生成し、その暗号鍵でコンテンツを復号することにより再生を行う。一方、現在時刻が有効期限外の場合、制御部２は再生処理を行わない。
【００３６】
このように、外部から改竄不能な携帯電話の内部クロックとコンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。又、現在時刻を携帯電話の内部クロックから取得するようにしたので、プレイヤに基準時計を内蔵する必要がない。さらに、端末ＩＤをもとにコンテンツの暗号鍵を現在時刻を所定の関数でワンタイムパット（数字列）に置き換えるので、ユーザが関数を知らない限り、時刻を遅らせるために数字列を改竄することも不可能である。
【００３７】
これらに加え、この実施形態では、コンテンツの暗号鍵を貸出し店舗が端末ＩＤをもとに動的に生成してユーザの携帯電話に格納し、ユーザは携帯電話を操作してワンタイムパットを生成させる。そして、このワンタイムパットに暗号鍵が含まれているので、プレイヤ側に予め暗号鍵を準備しておく必要がない。
【００３８】
なお、上記第３実施形態において、関数Ｆ１を用いて鍵情報を生成する際の入力値として、端末ＩＤ（固有情報）は必須であるが、その他の情報はなくともよい。又、関数Ｆ２を用いて暗号鍵を生成する際の入力値として、鍵情報は必須であるが、サービスキーはなくともよい。さらに、関数Ｆ３を用いてワンタイムパットを生成する際の入力値として、鍵情報と現在時刻は必須であるが、その他の情報はなくともよい。ただし、これらの情報を含めて入力値とすると、生成した数字列を不正なユーザに解読される虞が少なくなり、安全上好ましい。
【００３９】
又、第３実施形態において、関数Ｆ２による処理を省いてもよい。この場合、上記鍵情報がそのまま暗号鍵として使用されることになる。
【００４０】
上記各実施形態において、貸出し店舗を電子店舗（ネットワーク上のサーバ等）とすることも可能である。この場合、ユーザはネットワーク接続された端末からコンテンツの貸出し要求を入力し、電子店舗側は暗号化したコンテンツをネットワークを介してユーザ端末に送信する。ユーザは受信したコンテンツデータを所定の記録媒体に格納してプレイヤで再生することとなる。又、第３実施形態の場合は、ユーザは携帯電話をネットワーク経由で電子店舗に接続し、端末ＩＤの送信や、ライセンスＩＤ、コンテンツＩＤ，処理プログラム、及びコンテンツデータの受信を行う。受信したコンテンツデータは所定の記録媒体に格納してプレイヤで再生する。
【００４１】
なお、本発明のコンテンツの貸出し管理システムは、コンピューターと、通信装置等の各種周辺機器と、そのコンピューターによって実行されるソフトウェアプログラムとによって実現することができ、上記システム内で実行されるソフトウェアプログラムは、コンピューター読み取り可能な記憶媒体あるいは通信回線を介して配布することが可能である。
【００４２】
【発明の効果】
以上説明したように、本発明によれば、外部から改竄不能な再生機の基準時計、又は携帯端末の計時手段の時刻と、コンテンツの有効期限とを比較し、期限切れのコンテンツは自動的に再生不可となるので、期限切れ後の不正なコンテンツ再生を防止するとともに、期限切れ後のコンテンツ返却手続きをユーザ側が行う必要もない。
【図面の簡単な説明】
【図１】本発明の第１実施形態にかかるコンテンツの貸出し管理システムの構成ブロックを示す図である。
【図２】本発明の第２実施形態にかかるコンテンツの貸出し管理システムの構成ブロックを示す図である。
【図３】本発明の第２実施形態における処理フローを示すもので、（ａ）はワンタイムパット生成処理フローをを示す図で、（ｂ）はワンタイムパット解読処理フローを示す図である。
【図４】本発明の第３実施形態にかかるコンテンツの貸出し管理システムの構成ブロックを示す図である。
【図５】本発明の第３実施形態における処理フローを示すもので、（ａ）は暗号鍵の生成処理フローをを示す図で、（ｂ）はワンタイムパット生成処理フローをを示す図で、（ｃ）はワンタイムパット解読処理フローを示す図である。
【符号の説明】
２　　　　　　　　　　　　　制御部
３　　　　　　　　　　　　　入力手段
４　　　　　　　　　　　　　基準時計（電波時計）
５、５Ｂ　　　　　　　　　　（処理プログラムを格納する）記憶部
６　　　　　　　　　　　　　（暗号鍵を格納する）記憶部
１０　　　　　　　　　　　　再生機
２０、２０Ａ　　　　　　　　貸出し店舗
２１、２１Ａ　　　　　　　　記録媒体
３３、３３Ａ　　　　　　　　携帯端末の記憶手段
３４　　　　　　　　　　　　計時手段（内部クロック）
３５　　　　　　　　　　　　端末固有情報（端末ＩＤ）
【図１】
2004127164.tif 000003
【図２】
2004127164.tif 000004
【図３】
2004127164.tif 000005
【図４】
2004127164.tif 000006
【図５】
2004127164.tif 000007